(57)【要約】      （修正有）【課題】色再現性を重視してインク量上限を設定する際の利便性を向上させることが可能な技術を提供する。【解決手段】インク量上限設定装置は、インク量上限を設定する対象色の１以上の指定を受け付ける対象色指定部と、インク量上限候補に基づいて、所定の色空間の座標値と、複数種のインクの使用量を表す出力値と、の対応関係を規定する対応関係規定部と、出力デバイスにより再現される色の所定の色空間における範囲である色再現域の表面の色を表す表面色座標値を対応関係に従って出力値に変換し、該出力値に対応するパッチを出力デバイスに形成させるパッチ形成部と、形成されたパッチについて所定の色空間における色を表す測色値を取得する測色値取得部と、所定の色空間における対象色の座標値と、測色値と、に基づいて、インク量上限候補において対象色が色再現域に含まれるか否かを表す色再現判定情報を出力する色再現判定出力部と、を備える。【選択図】図１
2018026613.tif 000002
【特許請求の範囲】
【請求項１】
出力デバイスに用いられる複数種のインクを対象として、単位面積当たりに出力可能なインク量の上限を表すインク量上限を設定するインク量上限設定装置であって、
前記インク量上限を設定する対象色の１以上の指定を受け付ける対象色指定部と、
前記インク量上限の候補であるインク量上限候補に基づいて、所定の色空間の座標値と、前記複数種のインクの使用量を表す出力値と、の対応関係を規定する対応関係規定部と、
前記出力デバイスにより再現される色の前記所定の色空間における範囲である色再現域の表面の色を表す表面色座標値を前記対応関係に従って前記出力値に変換し、該出力値に対応するパッチを前記出力デバイスに形成させるパッチ形成部と、
形成された前記パッチについて前記所定の色空間における色を表す測色値を取得する測色値取得部と、
前記所定の色空間における前記対象色の座標値と、前記測色値と、に基づいて、前記インク量上限候補において前記対象色が前記色再現域に含まれるか否かを表す色再現判定情報を出力する色再現判定出力部と、を備える、インク量上限設定装置。
【請求項２】
前記インク量上限候補は、インク量上限が互いに異なる複数の候補を含み、
前記色再現判定出力部は、前記複数の候補のうち少なくとも２以上の候補のそれぞれについて前記対象色が前記色再現域に含まれるか否かを判定し、前記対象色が前記色再現域に含まれると判定した候補である色再現域内候補が複数ある場合、これらの色再現域内候補のうちインク量上限が最も低い色再現域内候補を推奨する情報を出力する、請求項１に記載のインク量上限設定装置。
【請求項３】
前記インク量上限候補は、第一候補と、該第一候補のインク量上限とは異なるインク量上限の第二候補と、を少なくとも含み、
前記色再現判定出力部は、前記第一候補について前記対象色が前記色再現域に含まれるか否かを判定し、前記対象色が前記色再現域に含まれないと判定した場合、前記第二候補を表す情報を出力する、請求項１又は請求項２に記載のインク量上限設定装置。
【請求項４】
前記対象色に基づいて前記表面色座標値を複数設定する表面色設定部を備え、
前記パッチ形成部は、前記複数の表面色座標値に基づいて前記パッチを複数、前記出力デバイスに形成させ、
前記測色値取得部は、形成された前記複数のパッチについて前記測色値を取得し、
前記色再現判定出力部は、前記所定の色空間における前記対象色の座標値と、前記複数の測色値と、に基づいて、前記色再現判定情報を出力する、請求項１〜請求項３のいずれか一項に記載のインク量上限設定装置。
【請求項５】
前記表面色設定部は、前記所定の色空間を色相の範囲が互いに異なる複数の色相領域に分割したとき、前記対象色が含まれる色相領域を少なくとも含む１以上の色相領域の表面の色を表す前記表面色座標値を複数設定する、請求項４に記載のインク量上限設定装置。
【請求項６】
前記複数の色相領域は、イエロー、レッド、マゼンタ、ブルー、シアン、及び、グリーンの中から選ばれる３以上の色相を境界として分割され、
前記表面色設定部は、前記対象色が含まれる色相領域、及び、該色相領域の色相方向における両隣の色相領域のうち前記対象色の色相に近い方の色相領域の表面の色を表す前記表面色座標値を複数設定し、
前記複数の表面色座標値は、前記境界の色相を表す境界色座標値を複数含む、請求項５に記載のインク量上限設定装置。
【請求項７】
前記表面色設定部は、前記色再現域の表面の頂点に少なくとも前記表面色座標値を複数設定する、請求項４〜請求項６のいずれか一項に記載のインク量上限設定装置。
【請求項８】
前記所定の色空間は、無彩色軸、並びに、互いに交差する２本の彩度軸で表される色空間であり、
前記色再現判定出力部は、前記所定の色空間における前記対象色の明度において、前記無彩色軸から前記対象色までの距離Ｄ１が、前記無彩色軸から前記色再現域の表面までの距離Ｄ２以下であるか否かを判定し、前記距離Ｄ１が前記距離Ｄ２以下であると判定した場合に前記対象色が前記色再現域に含まれることを表す前記色再現判定情報を出力する、請求項１〜請求項７のいずれか一項に記載のインク量上限設定装置。
【請求項９】
出力デバイスに用いられる複数種のインクを対象として、単位面積当たりに出力可能なインク量の上限を表すインク量上限を設定するインク量上限設定方法であって、
前記インク量上限を設定する対象色の１以上の指定を受け付ける工程と、
前記インク量上限の候補であるインク量上限候補に基づいて、所定の色空間の座標値と、前記複数種のインクの使用量を表す出力値と、の対応関係を規定する工程と、
前記出力デバイスにより再現される色の前記所定の色空間における範囲である色再現域の表面の色を表す表面色座標値を前記対応関係に従って前記出力値に変換し、該出力値に対応するパッチを前記出力デバイスに形成させる工程と、
形成された前記パッチについて前記所定の色空間における色を表す測色値を取得する工程と、
前記所定の色空間における前記対象色の座標値と、前記測色値と、に基づいて、前記インク量上限候補において前記対象色が前記色再現域に含まれるか否かを表す色再現判定情報を出力する工程と、を含む、インク量上限設定方法。
【発明の詳細な説明】
【技術分野】
【０００１】
本発明は、単位面積当たりに出力可能なインク量の上限を表すインク量上限を設定する技術に関する。
【背景技術】
【０００２】
例えば、インクジェットプリンターは、ノズルから液状インク滴を吐出することによりインクドットを被印刷物（print substrate）に形成している。液状インク滴の着弾密度が高くなると、インクドットの滲みや被印刷物の波打ちが目立つことがある。特に、カラー印刷を行う場合、Ｃ（シアン）のインクドットとＭ（マゼンタ）のインクドットとＹ（イエロー）のインクドットを重ねることがあるため、インク滴の着弾密度が高くなり易い。そこで、被印刷物の単位面積当たりに吐出可能なインク量の上限を表すインク打ち込み制限値を超えないように、色変換ＬＵＴ（ルックアップテーブル）や色分版ＬＵＴを用いる等してインク打ち込み量を制御することが行われている。尚、インク打ち込み量はインクdutyとも呼ばれ、インク量上限を表すインク打ち込み制限値はインクduty制限値とも呼ばれている。
【０００３】
インク打ち込み制限値は、複数種のインクの使用量を表す出力値に変換するためのＬＵＴを作成する前に、インクドットの滲みや被印刷物の波打ちの観点で設定されている。
尚、参考例として、特許文献１には、吐出されるインク滴を好ましい重量とするため駆動波形を選択することによりインク滴の吐出重量を変える技術が示されている。
【先行技術文献】
【特許文献】
【０００４】
【特許文献１】特開２０１２−６６４２６号公報
【発明の概要】
【発明が解決しようとする課題】
【０００５】
インク打ち込み制限値は、色再現性の観点よりもインクドットの滲みや被印刷物の波打ちの観点が重視されて設定されている。
【０００６】
本発明の目的の一つは、色再現性を重視してインク量上限を設定する際の利便性を向上させることが可能な技術を提供することにある。
【課題を解決するための手段】
【０００７】
上記目的の一つを達成するため、本発明は、出力デバイスに用いられる複数種のインクを対象として、単位面積当たりに出力可能なインク量の上限を表すインク量上限を設定するインク量上限設定装置であって、
前記インク量上限を設定する対象色の１以上の指定を受け付ける対象色指定部と、
前記インク量上限の候補であるインク量上限候補に基づいて、所定の色空間の座標値と、前記複数種のインクの使用量を表す出力値と、の対応関係を規定する対応関係規定部と、
前記出力デバイスにより再現される色の前記所定の色空間における範囲である色再現域の表面の色を表す表面色座標値を前記対応関係に従って前記出力値に変換し、該出力値に対応するパッチを前記出力デバイスに形成させるパッチ形成部と、
形成された前記パッチについて前記所定の色空間における色を表す測色値を取得する測色値取得部と、
前記所定の色空間における前記対象色の座標値と、前記測色値と、に基づいて、前記インク量上限候補において前記対象色が前記色再現域に含まれるか否かを表す色再現判定情報を出力する色再現判定出力部と、を備える、態様を有する。
【０００８】
また、本発明は、出力デバイスに用いられる複数種のインクを対象として、単位面積当たりに出力可能なインク量の上限を表すインク量上限を設定するインク量上限設定方法であって、
前記インク量上限を設定する対象色の１以上の指定を受け付ける工程と、
前記インク量上限の候補であるインク量上限候補に基づいて、所定の色空間の座標値と、前記複数種のインクの使用量を表す出力値と、の対応関係を規定する工程と、
前記出力デバイスにより再現される色の前記所定の色空間における範囲である色再現域の表面の色を表す表面色座標値を前記対応関係に従って前記出力値に変換し、該出力値に対応するパッチを前記出力デバイスに形成させる工程と、
形成された前記パッチについて前記所定の色空間における色を表す測色値を取得する工程と、
前記所定の色空間における前記対象色の座標値と、前記測色値と、に基づいて、前記インク量上限候補において前記対象色が前記色再現域に含まれるか否かを表す色再現判定情報を出力する工程と、を含む、態様を有する。
【０００９】
上述した態様は、色再現性を重視してインク量上限を設定する際の利便性を向上させることが可能な技術を提供することができる。
【図面の簡単な説明】
【００１０】
【図１】色変換テーブル生成装置の構成例を模式的に示すブロック図。
【図２】色変換テーブル生成処理の例を示すフローチャート。
【図３】図３Ａは所定の色空間における色再現域の例を模式的に示す図、図３Ｂは対象色指定画面の例を模式的に示す図。
【図４】図４Ａ，４Ｂはブラックのインク使用量に応じて３色による色再現域が変わる例を模式的に示す図。
【図５】表面色設定処理の例を示すフローチャート。
【図６】図６Ａは色相領域を設定する例を模式的に示す図、図６Ｂは色相領域を選択した例を模式的に示す図。
【図７】色再現域表面において表面色座標値を取得する点の例を模式的に示す図。
【図８】図８Ａはインク打ち込み量の例を模式的に示す図、図８Ｂは印刷設定に応じたインク量上限候補群の例を模式的に示す図、図８Ｃはインク量上限候補の例を模式的に示す図。
【図９】仮プロファイル生成処理の例を示すフローチャート。
【図１０】パッチの測色値を取得する例を模式的に示す図。
【図１１】色再現判定処理の例を示すフローチャート。
【図１２】所定の色空間において測色点を結んで色再現域表面に三角形を設定する例を模式的に示す図。
【図１３】図１３Ａは無彩色軸に沿った平面において対象色が色再現域に含まれるか否かを判定する例を模式的に示す図、図１３Ｂは色度平面において対象色が色再現域に含まれるか否かを判定する例を模式的に示す図。
【図１４】図１４Ａ，１４Ｂは判定結果出力画面の例を模式的に示す図。
【図１５】図１５Ａ，１５Ｂは判定結果出力画面の例を模式的に示す図。
【図１６】色変換テーブルを生成する例を模式的に示す図。
【発明を実施するための形態】
【００１１】
以下、本発明の実施形態を説明する。むろん、以下の実施形態は本発明を例示するものに過ぎず、実施形態に示す特徴の全てが発明の解決手段に必須になるとは限らない。
【００１２】
（１）本技術の概要：
まず、図１〜１６に示される例を参照して本発明に含まれる技術の概要を説明する。尚、本願の図は模式的に例を示す図であり、これらの図に示される各方向の拡大率は異なることがあり、各図は整合していないことがある。
【００１３】
［態様１］
図１に例示されるインク量上限設定装置（例えば色変換テーブル生成装置１００）は、対象色指定部Ｕ１、対応関係規定部Ｕ２、パッチ形成部Ｕ３、測色値取得部Ｕ４、及び、色再現判定出力部Ｕ５を備え、出力デバイス（例えば印刷装置２００）に用いられる複数種のインク（例えばシアンとマゼンタとイエローとブラック）を対象として、単位面積当たりに出力可能なインク量の上限を表すインク量上限ＵＬを設定する（例えば図２のステップＳ１２２参照）。前記対象色指定部Ｕ１は、前記インク量上限ＵＬを設定する対象色（例えば図３Ａに示す対象色Ｔｔ）の１以上の指定を受け付ける。前記対応関係規定部Ｕ２は、前記インク量上限ＵＬの候補であるインク量上限候補４００（例えば図８Ｃ参照）に基づいて、所定の色空間（例えばＬａｂ色空間）の座標値（例えばＬｐ，ａｐ，ｂｐ）と、前記複数種のインクの使用量を表す出力値（例えばＣｐ，Ｍｐ，Ｙｐ，Ｋｐ）と、の対応関係（例えば仮プロファイル５００）を規定する。前記パッチ形成部Ｕ３は、前記出力デバイス（２００）により再現される色の前記所定の色空間における範囲である色再現域ＧＡ０（例えば図７参照）の表面の色（例えば表面色Ｓｓ）を表す表面色座標値（例えばＬｓ，ａｓ，ｂｓ）を前記対応関係（５００）に従って出力値（例えばＣｓ，Ｍｓ，Ｙｓ，Ｋｓ）に変換し、該出力値に対応するパッチＰＡ１を前記出力デバイス（２００）に形成させる。前記測色値取得部Ｕ４は、形成された前記パッチＰＡ１について前記所定の色空間における色を表す測色値（例えばＬｍ，ａｍ，ｂｍ）を取得する。前記色再現判定出力部Ｕ５は、前記所定の色空間における前記対象色（Ｔｔ）の座標値（Ｌｔ，ａｔ，ｂｔ）と、前記測色値（Ｌｍ，ａｍ，ｂｍ）と、に基づいて、前記インク量上限候補４００において前記対象色（Ｔｔ）が前記色再現域ＧＡ０に含まれるか否かを表す色再現判定情報７００（例えば図１４Ａ，１４Ｂ，１５Ａ，１５Ｂ参照）を出力する。
【００１４】
上記態様１では、インク量上限候補４００に基づいて対応関係（５００）が規定され、色再現域ＧＡ０の表面の色（Ｓｓ）を表す表面色座標値（Ｌｓ，ａｓ，ｂｓ）が前記対応関係（５００）に従って複数種のインクの使用量を表す出力値（Ｃｓ，Ｍｓ，Ｙｓ，Ｋｓ）に変換され、パッチＰＡ１が形成される。所定の色空間におけるパッチＰＡ１の測色値（Ｌｍ，ａｍ，ｂｍ）が取得されると、所定の色空間における対象色（Ｔｔ）の座標値（Ｌｔ，ａｔ，ｂｔ）と、測色値（Ｌｍ，ａｍ，ｂｍ）と、に基づいて、インク量上限候補４００において対象色（Ｔｔ）が色再現域ＧＡ０に含まれるか否かを表す色再現判定情報７００が出力される。これにより、ユーザーは、インク量上限候補４００が所望の色を再現可能であるか否かが分かる。従って、本態様は、色再現性を重視してインク量上限を設定する際の利便性を向上させることが可能なインク量上限設定装置を提供することができる。
【００１５】
ここで、前記所定の色空間は、限定されないものの、機器独立色空間（device independent color space）が好ましい。この機器独立色空間は、ＣＩＥ（国際照明委員会）Ｌ*ａ*ｂ*色空間やＣＩＥ Ｌ*ｕ*ｖ*色空間といった均等色空間が好ましい。所定の色空間がＬ*ａ*ｂ*色空間である場合、所定の色空間の座標値は明度Ｌ*及び色度座標ａ*，ｂ*で表される。尚、以下の説明では「*」を省略することがある。
前記対応関係は、ＩＣＣ（International Color Consortium）プロファイルといったプロファイル、色変換ＬＵＴといったＬＵＴ、等を含む概念である。
前記色再現判定情報は、対象色が色再現域に含まれるインク量上限候補を表す情報、対象色が色再現域に含まれないインク量上限候補を表す情報、等を含む。色再現判定情報を出力することは、ユーザーが色再現判定情報を確認することを可能にさせることを意味し、色再現判定情報を表示すること、色再現判定情報を印刷すること、等を含む。
【００１６】
［態様２］
ところで、図８Ｃに例示するように、前記インク量上限候補４００は、インク量上限が互いに異なる複数の候補（例えば候補４０１〜４０３）を含んでもよい。前記色再現判定出力部Ｕ５は、前記複数の候補のうち少なくとも２以上の候補のそれぞれについて前記対象色が前記色再現域ＧＡ０に含まれるか否かを判定してもよい。前記対象色が前記色再現域ＧＡ０に含まれると判定した候補である色再現域内候補（例えば図１４Ａに示す候補６１２，６１３）が複数ある場合、前記色再現判定出力部Ｕ５は、これらの色再現域内候補のうちインク量上限が最も低い色再現域内候補（例えば候補６１２）を推奨する情報を出力してもよい。これにより、ユーザーは、所望の色を再現可能なインク量上限候補４００の中でインク量上限が最も低い色再現域内候補が分かる。従って、本態様は、インクの消費量を極力少なくすることが可能な技術を提供することができる。
【００１７】
［態様３］
前記インク量上限候補４００は、第一候補（例えば図８Ｃに示す候補４０１）と、該第一候補のインク量上限とは異なるインク量上限の第二候補（例えば図８Ｃに示す候補４０２）と、を少なくとも含んでもよい。前記色再現判定出力部Ｕ５は、前記第一候補について前記対象色が前記色再現域ＧＡ０に含まれるか否かを判定してもよい。図１５Ａに例示するように、前記色再現判定出力部Ｕ５は、前記対象色（Ｔｔ）が前記色再現域ＧＡ０に含まれないと判定した場合、前記第二候補を表す情報を出力してもよい。これにより、ユーザーは、インク量上限の第一候補では所望の色を再現することができない場合にインク量上限の第二候補があることが分かる。従って、本態様は、インク量上限を設定する際の利便性を向上させる好適な技術を提供することができる。
【００１８】
［態様４］
本インク量上限設定装置（１００）は、前記対象色（Ｔｔ）に基づいて前記表面色座標値（Ｌｓ，ａｓ，ｂｓ）を複数設定する表面色設定部Ｕ６を備えてもよい。前記パッチ形成部Ｕ３は、前記複数の表面色座標値（Ｌｓ，ａｓ，ｂｓ）に基づいて前記パッチＰＡ１を複数、前記出力デバイス（２００）に形成させてもよい。前記測色値取得部Ｕ４は、形成された前記複数のパッチＰＡ１について前記測色値（Ｌｍ，ａｍ，ｂｍ）を取得してもよい。前記色再現判定出力部Ｕ５は、前記所定の色空間における前記対象色（Ｔｔ）の座標値（Ｌｔ，ａｔ，ｂｔ）と、前記複数の測色値（Ｌｍ，ａｍ，ｂｍ）と、に基づいて、前記色再現判定情報７００を出力してもよい。本態様は、インク量上限を設定する際の利便性を向上させる好適な技術を提供することができる。
【００１９】
［態様５］
図６Ａ，６Ｂ，７に例示するように、前記表面色設定部Ｕ６は、前記所定の色空間を色相の範囲が互いに異なる複数の色相領域３００に分割したとき、前記対象色（Ｔｔ）が含まれる色相領域（例えば包含色相領域３０１）を少なくとも含む１以上の色相領域３００の表面の色（Ｓｓ）を表す前記表面色座標値（Ｌｓ，ａｓ，ｂｓ）を複数設定してもよい。この態様は、形成されるパッチの数を低減させることが可能な技術を提供することができる。
【００２０】
［態様６］
図６Ａ，６Ｂ，７に例示するように、前記複数の色相領域３００は、イエロー（Ｙ）、レッド（Ｒ）、マゼンタ（Ｍ）、ブルー（Ｂ）、シアン（Ｃ）、及び、グリーン（Ｇ）の中から選ばれる３以上の色相を境界として分割されてもよい。前記表面色設定部Ｕ６は、前記対象色（Ｔｔ）が含まれる色相領域（例えば包含色相領域３０１）、及び、該色相領域の色相方向における両隣の色相領域のうち前記対象色（Ｔｔ）の色相に近い方の色相領域（例えば近接色相領域３０２）の表面の色（Ｓｓ）を表す前記表面色座標値（Ｌｓ，ａｓ，ｂｓ）を複数設定してもよい。前記複数の表面色座標値（Ｌｓ，ａｓ，ｂｓ）は、前記境界の色相を表す境界色座標値を複数含んでもよい。本態様は、形成されるパッチの数を低減させる好適な技術を提供することができる。
【００２１】
［態様７］
図７に例示するように、前記表面色設定部Ｕ６は、前記色再現域ＧＡ０の表面の頂点（例えばホワイト（Ｗ）、Ｙ，Ｒ，Ｍ，Ｂ，Ｃ，Ｇ、ブラック（Ｋ））に少なくとも前記表面色座標値を複数設定してもよい。この態様も、形成されるパッチの数を低減させる好適な技術を提供することができる。
ここで、色再現域の表面の頂点は、複数種のインクのそれぞれについて、インクを使用しないか、１種類又は複数種類のインクに対して設定されるインク量上限の範囲でインクを最大量使用するか、のいずれかである点を意味する。例えば、頂点がＣ，Ｍ，Ｙ等のような１次色である場合、このような１次色を表現する１種類のインクを１種類のインクに設定されるインク量上限となるように使用する点が頂点となる。頂点が例えばＧインクを使用しない場合におけるＧ等のような２次色である場合、このような２次色を表現する２種類のインクを２種類のインクに設定されるインク量上限となるように使用する点が頂点となる。例えば、Ｃインク１種類に設定されたインク量上限が８０％、Ｙインク１種類に設定されたインク量上限が８０％、ＣインクとＹインクの２種類に設定されたインク量上限が１２０％であるとする。この場合、ＣインクとＹインクの２次色による頂点は、ＣインクとＹインクを等量ずつ使用することを前提とすると、ＣインクとＹインクを６０％ずつ使用する点となる。３次色以上についても、同様である。
尚、３色の色再現域は２3＝８箇所の頂点があるので、これらの頂点のうち複数の頂点に表面色座標値を設定すればよい。４色の色再現域では、２4＝１６個の頂点がある。
【００２２】
［態様８］
前記所定の色空間は、無彩色軸（例えばＬ軸）、並びに、互いに交差する２本の彩度軸（例えばａ軸とｂ軸）で表される色空間でもよい。図１１，１３Ａに例示するように、前記色再現判定出力部Ｕ５は、前記所定の色空間における前記対象色（Ｔｔ）の明度（Ｌｔ）において、前記無彩色軸から前記対象色（Ｔｔ）までの距離Ｄ１が、前記無彩色軸から前記色再現域ＧＡ０の表面までの距離Ｄ２以下であるか否かを判定してもよい。前記色再現判定出力部Ｕ５は、前記距離Ｄ１が前記距離Ｄ２以下であると判定した場合に前記対象色が前記色再現域ＧＡ０に含まれることを表す前記色再現判定情報７００を出力してもよい。本態様は、インク量上限を設定する際の利便性を向上させる好適な技術を提供することができる。
【００２３】
［態様９］
図２に例示されるインク量上限設定方法は、対象色指定部Ｕ１に対応する対象色指定工程ＳＴ１、対応関係規定部Ｕ２に対応する対応関係規定工程ＳＴ２、パッチ形成部Ｕ３に対応するパッチ形成工程ＳＴ３、測色値取得部Ｕ４に対応する測色値取得工程ＳＴ４、及び、色再現判定出力部Ｕ５に対応する色再現判定出力工程ＳＴ５を含む。本態様は、色再現性を重視してインク量上限を設定する際の利便性を向上させることが可能なインク量上限設定方法を提供することができる。本インク量上限設定方法は、表面色設定部Ｕ６に対応する表面色設定工程ＳＴ６を含んでもよい。
【００２４】
［態様１０］
図１に例示されるインク量上限設定プログラムＰＲ０は、対象色指定部Ｕ１に対応する対象色指定機能ＦＵ１、対応関係規定部Ｕ２に対応する対応関係規定機能ＦＵ２、パッチ形成部Ｕ３に対応するパッチ形成機能ＦＵ３、測色値取得部Ｕ４に対応する測色値取得機能ＦＵ４、及び、色再現判定出力部Ｕ５に対応する色再現判定出力機能ＦＵ５をコンピューターに実現させる。本態様は、色再現性を重視してインク量上限を設定する際の利便性を向上させることが可能なインク量上限設定プログラムＰＲ０を提供することができる。本インク量上限設定プログラムＰＲ０は、表面色設定部Ｕ６に対応する表面色設定機能ＦＵ６をコンピューターに実現させてもよい。
【００２５】
さらに、本技術は、インク量上限設定装置を含む色変換テーブル生成装置、インク量上限設定装置を含む複合装置、色変換テーブル生成方法、インク量上限設定装置の制御方法、色変換テーブル生成装置の制御方法、複合装置の制御方法、色変換テーブル生成プログラム、色変換テーブル生成装置の制御プログラム、複合装置の制御プログラム、インク量上限設定プログラムや前記制御プログラムを記録したコンピューター読み取り可能な媒体、等に適用可能である。前述の装置は、分散した複数の部分で構成されてもよい。
【００２６】
（２）色変換テーブル生成装置の具体例：
図１は、インク量上限設定装置の例である色変換テーブル生成装置の構成例を模式的に示している。図１に示す色変換テーブル生成装置１００は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、測色装置１１７、通信Ｉ／Ｆ（インターフェイス）１１８、等が接続されて互いに情報を入出力可能とされている。本具体例の色変換テーブル生成装置１００は、図１６に例示するような色変換テーブル５８０を生成するものとする。この色変換テーブル５８０は、ＲＧＢ（レッド、グリーン、及び、ブルー）の量を表す入力値（Ｒｊ，Ｇｊ，Ｂｊ）とＣＭＹＫ（シアン、マゼンタ、イエロー、及び、ブラック）のインクの使用量を表す出力値（Ｃｊ，Ｍｊ，Ｙｊ，Ｋｊ）との対応関係を各格子点ＧＤ０について規定したＬＵＴ（ルックアップテーブル）である。入力値（Ｒｊ，Ｇｊ，Ｂｊ）と出力値（Ｃｊ，Ｍｊ，Ｙｊ，Ｋｊ）は、例えば、２５６階調や２16階調等の階調値で表現することができる。
尚、格子点（grid point）は入力色空間に配置された仮想の点を意味し、入力色空間における格子点の位置に対応する出力座標値が該格子点に格納されていると想定することにしている。複数の格子点が入力色空間内で均等に配置されるのみならず、複数の格子点が入力色空間内で不均等に配置されることも、本技術に含まれる。
【００２７】
記憶装置１１４は、インク量上限設定プログラムＰＲ０を含む色変換テーブル生成プログラム、インク量上限候補４０１，４０２，４０３，…、等を記憶している。これらインク量上限候補４０１，４０２，４０３，…をインク量上限候補４００と総称する。また、記憶装置１１４には、生成される仮プロファイル５０１，５０２，５０３，…、等が記憶される。これら仮プロファイル５０１，５０２，５０３，…を仮プロファイル５００と総称する。記憶装置１１４には、フラッシュメモリー等の不揮発性半導体メモリー、ハードディスク等の磁気記憶装置、等を用いることができる。表示装置１１５には、液晶表示パネル等を用いることができる。入力装置１１６には、ポインティングデバイス、キーボードを含むハードキー、表示パネルの表面に貼り付けられたタッチパネル、等を用いることができる。測色装置１１７は、被印刷物２９０に形成された各パッチ（例えば図１０に示すカラーパッチＰＡ１）を測色して測色値（例えばＬｍ，ａｍ，ｂｍ）を出力可能である。パッチは、色票とも呼ばれる。測色装置１１７は、色変換テーブル生成装置１００の外部に設けられてもよい。色変換テーブル生成装置１００は、測色装置１１７から測色値を取得して各種処理を行う。通信Ｉ／Ｆ１１８は、印刷装置２００（出力デバイスの例）の通信Ｉ／Ｆ２１０に接続され、印刷装置２００に対して情報を入出力する。通信Ｉ／Ｆ１１８，２１０の規格には、ＵＳＢ（Universal Serial Bus）、近距離無線通信規格、等を用いることができる。通信Ｉ／Ｆ１１８，２１０の通信は、有線でもよいし、無線でもよく、ＬＡＮ（Local Area Network）やインターネット等といったネットワーク通信でもよい。
【００２８】
図１に示すインク量上限設定プログラムＰＲ０は、対象色指定機能ＦＵ１、対応関係規定機能ＦＵ２、パッチ形成機能ＦＵ３、測色値取得機能ＦＵ４、色再現判定出力機能ＦＵ５、及び、表面色設定機能ＦＵ６を色変換テーブル生成装置１００に実現させる。
尚、色変換テーブル生成装置１００には、パーソナルコンピューター（タブレット型端末を含む。）といったコンピューター等が含まれる。色変換テーブル生成装置１００は、一つの筐体内に全構成要素１１１〜１１８を有してもよいが、互いに通信可能に分割された複数の装置で構成されてもよい。また、印刷装置が色変換テーブル生成装置１００にあっても本技術を実施可能であり、印刷機能を有する印刷装置自体が本技術の色変換テーブル生成処理を行ってもよい。
【００２９】
図１に示す印刷装置２００は、ＣＭＹＫのインクを記録ヘッド２２０から吐出（噴射）して被印刷物２９０に印刷画像を形成するインクジェットプリンターであるものとする。記録ヘッド２２０は、インクカートリッジＣｃ，Ｃｍ，Ｃｙ，ＣｋからそれぞれＣＭＹＫのインクが供給され、ノズルＮｃ，Ｎｍ，Ｎｙ，ＮｋからそれぞれＣＭＹＫのインク滴２８０を吐出する。インク滴２８０が被印刷物２９０に着弾すると、図８Ａに例示するようにインクドットＤＴ１が被印刷物２９０に形成される。その結果、図１０に例示するパッチＰＡ１を有する印刷物ＰＴ１や、図１６に例示する印刷画像ＩＭ２を有する印刷物ＰＴ２が得られる。
【００３０】
印刷装置２００は、色変換テーブル生成装置１００が生成した出力画像に基づく印刷用データを入手し、該印刷用データに基づいて前記出力画像に対応する印刷画像を被印刷物に形成する。印刷装置２００は、複写機、ファクシミリ、等の機能を備えてもよい。
【００３１】
（３）色変換テーブル生成処理の具体例：
図２は、図１に示す色変換テーブル生成装置１００で行われる色変換テーブル生成処理の例を示している。この例では、ステップＳ１０２〜Ｓ１２２の処理がインク量上限設定プログラムＰＲ０により行われる。以下、「ステップ」の記載を省略する。ここで、Ｓ１０４は対象色指定工程ＳＴ１と対象色指定機能ＦＵ１と対象色指定部Ｕ１に対応し、Ｓ１０６は表面色設定工程ＳＴ６と表面色設定機能ＦＵ６と表面色設定部Ｕ６に対応し、Ｓ１０８〜Ｓ１１０は対応関係規定工程ＳＴ２と対応関係規定機能ＦＵ２と対応関係規定部Ｕ２に対応し、Ｓ１１２〜Ｓ１１４はパッチ形成工程ＳＴ３とパッチ形成機能ＦＵ３とパッチ形成部Ｕ３に対応し、Ｓ１１６は測色値取得工程ＳＴ４と測色値取得機能ＦＵ４と測色値取得部Ｕ４に対応し、Ｓ１１８〜Ｓ１２０は色再現判定出力工程ＳＴ５と色再現判定出力機能ＦＵ５と色再現判定出力部Ｕ５に対応している。尚、各工程ＳＴ１〜ＳＴ６の処理順は、図２に示す順番に限定されない。
【００３２】
処理が開始されると、色変換テーブル生成装置１００は、色再現性に影響を与える印刷設定の選択を受け付ける（Ｓ１０２）。前記印刷設定には、被印刷物の種類や印刷モード（例えば印刷解像度や記録方式）があり、インクの種類等が含まれてもよい。Ｓ１０２の処理は、例えば、ユーザーが入力装置１１６を操作して印刷設定の複数の項目の中からいずれか一つを選択したときに該選択された項目の印刷設定を受け付ける処理とすることができる。
【００３３】
続くＳ１０４では、Ｌａｂ色空間（所定の色空間の例）を基準として、インク量上限ＵＬを設定する対象色Ｔｔ（Ｌｔ，ａｔ，ｂｔ）の１以上の指定を受け付ける。ここでの変数ｔは、各対象色Ｔｔを識別する変数である。Ｌａｂ色空間は、互いに交差するＬ軸（無彩色軸）、ａ軸（彩度軸の一つ）、及び、ｂ軸（彩度軸の一つ）で表される色空間であり、機器独立色空間であり、均等色空間である。
【００３４】
まず、図３Ａを参照して、Ｌａｂ色空間を基準とした色再現域の例を説明する。色再現域ＧＡ０は、印刷装置２００により再現される色のＬａｂ色空間における範囲を意味する。図３Ａに示す色再現域ＧＡ０はＣＭＹＫのカラーインクにより色再現される範囲を模式的な六面体状に示しているが、実際の色再現域は曲面で囲まれた形状など簡単な形状で表すことができない。尚、図３Ａに示す縦軸はＬａｂ色空間のＬ軸を示し、図３Ａに示す横軸はＬａｂ色空間の彩度軸（例えばａ軸やｂ軸）を示す。図３Ａに示す色度平面は、奥行きがあるように示されている。尚、便宜上、頂点Ｗ（ホワイト）と頂点Ｙ（イエロー）を結ぶ稜線ＲＬｙ、頂点Ｋ（ブラック）と頂点Ｒ（レッド）を結ぶ稜線ＲＬｒ、頂点Ｗと頂点Ｍ（マゼンタ）を結ぶ稜線ＲＬｍ、頂点Ｋと頂点Ｂ（ブルー）を結ぶ稜線ＲＬｂ、頂点Ｗと頂点Ｃ（シアン）を結ぶ稜線ＲＬｃ、及び、頂点Ｋと頂点Ｇ（グリーン）を結ぶ稜線ＲＬｇを示している。尚、これらの稜線ＲＬｙ，ＲＬｒ，ＲＬｍ，ＲＬｂ，ＲＬｃ，ＲＬｇを稜線ＲＬ１と総称する。
【００３５】
図１６に示す色変換テーブル５８０のように出力色空間ＣＳ２が４次元の機器従属色空間（device dependent color space）である場合、ＣＭＹのインクにより再現される色の範囲である色再現域は、Ｋインクの使用量に応じて変わる。図４Ａ，４Ｂは、Ｋのインク使用量に応じて３色の色再現域ＧＡ０ｗ，ＧＡ０ｋが変わる様子を模式的に例示している。
【００３６】
図４Ａに示す例では、Ｋインクを使用していない場合の３色の色再現域ＧＡ０ｗからＫインクを使用することにより３色の色再現域ＧＡ０ｋの最低明度が下がっている。この場合の４色の色再現域ＧＡ０は、３色の色再現域ＧＡ０ｗ，ＧＡ０ｋを含む領域となる。一方、図４Ｂに示す例では、Ｋインクを使用していない場合の３色の色再現域ＧＡ０ｗからＫインクを使用することにより３色の色再現域ＧＡ０ｋの範囲が小さくなっている。この場合の４色の色再現域ＧＡ０は、３色の色再現域ＧＡ０ｗで表すことができる。しかし、被印刷物２９０の種類やインクの種類といった種々の印刷条件に対して図４Ａに示す例に当てはまるのか図４Ｂに示す例に当てはまるのかを事前に把握しておくのは現実的ではない。そこで、図４Ａに示すようにＫインクの使用量に応じて３色の色再現域が低明度側にシフトすることを想定して、以後の処理を行うことにしている。
【００３７】
また、色再現域ＧＡ０は、インク打ち込み量に応じて変わることがある。従って、対象色Ｔｔが色再現域ＧＡ０に含まれるか否かは、インク量上限に応じたインク打ち込み量で形成したカラーパッチの測色値から導出する必要がある。そこで、図２のＳ１０４で、インク量上限を設定する対象色Ｔｔの指定を受け付けることにしている。
【００３８】
図３Ｂは、インク量上限を設定する対象色Ｔｔ（Ｌｔ，ａｔ，ｂｔ）の指定を受け付けるための対象色指定画面を表示装置１１５に表示した例を示している。図３Ｂに示す対象色指定画面６００では、複数の対象色Ｔｔを指定可能であり、入力装置１１６による各対象色ＴｔのＬａｂ値（Ｌａｂ色空間の座標値Ｌ，ａ，ｂ）の操作入力を受け付け可能である。例えば、ユーザーが入力装置１１６で対象色１のＬａｂ値を入力欄６０１に操作入力すると、色変換テーブル生成装置１００は、操作入力されたＬａｂ値を対象色１の指定値としてＲＡＭ１１３に記憶しておく。対象色２，３，…についても、同様である。むろん、対象色Ｔｔの指定方法は、対象色指定画面６００に限定されず、図３Ａに示すような模式的なＬａｂ色空間を表示して入力装置１１６による対象色Ｔｔの座標位置の指定操作を受け付ける等でもよい。
【００３９】
対象色Ｔｔの指定の受け付け後、色変換テーブル生成装置１００は、Ｌａｂ色空間において色再現域ＧＡ０の表面の色Ｓｓ（図７参照）を表す表面色座標値（Ｌｓ，ａｓ，ｂｓ）を複数、対象色Ｔｔに基づいて設定する（図２のＳ１０６）。ここでの変数ｓは、色再現域ＧＡ０の表面における位置を識別する変数である。表面色座標値（Ｌｓ，ａｓ，ｂｓ）は、カラーパッチＰＡ１（図１０参照）を形成するための元データでもある。
【００４０】
図５は、Ｓ１０６で行われる表面色設定処理の例を示している。この処理が開始されると、色変換テーブル生成装置１００は、まず、図６Ａに例示するように、Ｙ（イエロー）、Ｒ（レッド）、Ｍ（マゼンタ）、Ｂ（ブルー）、Ｃ（シアン）、及び、Ｇ（グリーン）の６色相を境界としてＬａｂ色空間の色相を６つに分割した色相領域３０１〜３０６を設定する（Ｓ２０２）。図６Ａは、図３ＡのＡ１の方向から見たときの色再現域ＧＡ０を模式的に示し、色相領域３００を設定する例を模式的に示している。図６Ａにおいて、横軸はａ軸であり、縦軸はｂ軸である。図６Ａに示す例では、Ｙ〜Ｒの色相の範囲が色相領域３０１であり、Ｒ〜Ｍの色相の範囲が色相領域３０２であり、Ｍ〜Ｂの色相の範囲が色相領域３０３であり、Ｂ〜Ｃの色相の範囲が色相領域３０４であり、Ｃ〜Ｇの色相の範囲が色相領域３０５であり、Ｇ〜Ｙの色相の範囲が色相領域３０６であるものとする。これらの色相領域３０１〜３０６を色相領域３００と総称する。色再現域ＧＡ０において、境界の色相Ｙは稜線ＲＬｙに対応し、境界の色相Ｒは稜線ＲＬｒに対応し、境界の色相Ｍは稜線ＲＬｍに対応し、境界の色相Ｂは稜線ＲＬｂに対応し、境界の色相Ｃは稜線ＲＬｃに対応し、境界の色相Ｇは稜線ＲＬｇに対応する。また、図３Ａに示していないが、境界の色相Ｙは頂点Ｙと頂点Ｋを結ぶ線上にもあり、境界の色相Ｒは頂点Ｗと頂点Ｒを結ぶ線上にもあり、境界の色相Ｍは頂点Ｍと頂点Ｋを結ぶ線上にもあり、境界の色相Ｂは頂点Ｗと頂点Ｂを結ぶ線上にもあり、境界の色相Ｃは頂点Ｃと頂点Ｋを結ぶ線上にもあり、境界の色相Ｇは頂点Ｗと頂点Ｇを結ぶ線上にもある。
色相領域３００の境界を代表的な６色相に設定することにより、形成するパッチの数を効率的に少なくすることができる。この点で、上述の６色相が好ましいものの、色相領域３００の境界は、簡易的に６色相から一部の色相を省いた３以上の色相であってもよい。
【００４１】
Ｓ２０４では、色相領域３０１〜３０６の中から対象色Ｔｔ（Ｌｔ，ａｔ，ｂｔ）が含まれる包含色相領域を選択する。Ｓ２０４の処理は、対象色Ｔｔの色度座標（ａｔ，ｂｔ）の色相角に基づいて包含色相領域を選択する処理とすることができる。例えば、図６Ａに示すように前記色相角がＹ〜Ｒの色相となる場合、Ｙ〜Ｒの色相領域３０１が包含色相領域として選択される。図６Ｂには、包含色相領域３０１に左上がりのハッチングを付している。前記色相角が境界線上にある場合、その境界で区切られる２つの色相領域のうちいずれか一方の色相領域を包含色相領域として選択すればよい。対象色Ｔｔが複数指定されている場合、各対象色Ｔｔについて包含色相領域を選択すればよい。
【００４２】
Ｓ２０６では、包含色相領域の色相方向における両隣の色相領域のうち対象色Ｔｔの色相に近い方の近接色相領域を選択する。Ｓ２０６の処理は、対象色Ｔｔの色度座標（ａｔ，ｂｔ）の色相角と包含色相領域の両側の境界とのなす角度をそれぞれ求め、求めた角度の小さい方の境界に隣接する色相領域を選択する処理とすることができる。例えば、図６Ａに示す包含色相領域３０１の色相方向における両隣は、色相領域３０２，３０６である。包含色相領域３０１の両側にある境界の色相Ｒ，Ｙのうち対象色Ｔｔの色相角に近い方の境界の色相は色相Ｒであるので、この色相Ｒの境界に隣接する色相領域３０２が近接色相領域として選択される。図６Ｂには、近接色相領域３０２に右上がりのハッチングを付している。対象色Ｔｔの色相角と両側の境界とのなす角度が同じである場合、両隣の色相領域のうちいずれか一方を選択すればよい。対象色Ｔｔが境界にあった場合、その境界で区切られる２つの色相領域のうち包含色相領域として選択されなかった色相領域を近接色相領域として選択すればよい。対象色Ｔｔが複数指定されている場合、各対象色Ｔｔについて近接色相領域を選択すればよい。
【００４３】
近接色相領域の選択後、色変換テーブル生成装置１００は、Ｓ２０４，Ｓ２０６で選択された色相領域において、稜線方向においてｎ点（ｎは２以上の整数）ずつ表面の色Ｓｓを表す表面色座標値（Ｌｓ，ａｓ，ｂｓ）を取得し（Ｓ２０８）、表面色設定処理を終了させる。一例として、包含色相領域３０１と近接色相領域３０２が選択された場合において、稜線方向においてｎ＝３点ずつ表面色座標値（Ｌｓ，ａｓ，ｂｓ）を取得する表面の色Ｓｓの位置を図７において二重丸で示している。ただし、分かり易く示すため、図７では、彩度方向と比べて明度方向を引き延ばしたように４色の色再現域ＧＡ０を模式的に示している。包含色相領域３０１と近接色相領域３０２が選択された場合、境界の色相Ｙ，Ｒ，Ｍに対応する稜線ＲＬｙ，ＲＬｒ，ＲＬｍに対して、稜線ＲＬｙ，ＲＬｒ，ＲＬｍの方向において３点ずつ表面色Ｓｓの位置が設定される。稜線ＲＬｙ，ＲＬｒ，ＲＬｍの色Ｓｓの表面色座標値は、境界の色相Ｙ，Ｒ，Ｍを表す境界色座標値である。これらの境界色座標値は、図３Ａに示す頂点Ｗ，Ｙ，Ｒ，Ｍ，Ｋの表面色座標値を含む。また、色相Ｙ〜Ｍの範囲において、残りの稜線方向においても３点ずつ表面色Ｓｓの位置が設定される。図７の例では、表面色Ｓｓの位置が２３箇所設定されて２３組の表面色座標値（Ｌｓ，ａｓ，ｂｓ）が取得されることになる。対象色Ｔｔが複数指定されて３以上の色相領域が選択された場合、選択された色相領域の数に応じて表面色座標値（Ｌｓ，ａｓ，ｂｓ）を取得する表面色Ｓｓの数が増える。
【００４４】
表面色座標値（Ｌｓ，ａｓ，ｂｓ）を取得する表面色Ｓｓを対象色Ｔｔに応じて選定することにより、インク量上限ＵＬを設定するために形成するカラーパッチＰＡ１の数を低減させることができる。
【００４５】
図２のＳ１０６で表面色設定処理を行った後、色変換テーブル生成装置１００は、被印刷物２９０の種類やインクの種類といった印刷条件に応じて、インク量上限ＵＬの候補であるインク量上限候補４００（図８Ｃ参照）を設定する（Ｓ１０８）。ここで、インク量上限候補４００を識別する変数をｉとしている。
【００４６】
まず、図８Ａを参照して、インク打ち込み量の概念を説明する。図８Ａは、被印刷物２９０にインクドットＤＴ１が形成された様子を模式的に例示している。インク打ち込み量は、インクdutyとも呼ばれ、被印刷物の単位面積当たりに吐出されたインクの量を表す。ここで、インクドットＤＴ１の形成単位を画素ＰＸ１と定義し、Ｎpx画素（Ｎpxは２以上の整数）に形成された最大サイズのドットの数をＮdt（Ｎdtは０以上の整数）として、インク打ち込み量を（Ｎdt／Ｎpx）×１００％と定義することにする。例えば、図８Ａの左側に示すようにＮpx画素にＮdt＝Ｎpx／２個のドットＤＴ１が形成される場合、インク打ち込み量は５０％となる。複数種のインクを使用する場合、２色以上のインクドットを重ねることによりインク打ち込み量を１００％よりも多くすることができる。例えば、図８Ａの右側に示すようにＮpx画素に対してＮpx個のドット（例えばＣのドット）に加えてＮpx／４個のドット（例えばＭのドット）が形成される場合、インク打ち込み量は１２５％となる。尚、最大サイズのよりも小さいサイズのドットを形成する場合には、ドットを形成するインク滴の重量比に応じた換算比で小さいサイズのドットを最大サイズのドットに換算してインク打ち込み量を算出すればよい。
【００４７】
インク打ち込み量を多くすると、印刷画像の色再現性が高まる可能性があるものの、インクドットの滲みや被印刷物の波打ちが生じる可能性がある。そこで、被印刷物の単位面積当たりに吐出可能なインク量の上限を表すインク量上限ＵＬを設定し、インク打ち込み量を制御することにしている。ただ、被印刷物の種類やインクの種類といった種々の印刷条件に対してインクドットの滲みや被印刷物の波打ちが生じないようにするためにはインク量上限ＵＬを低くした方がよいものの、印刷画像の色再現性が低下する可能性がある。本具体例では、印刷画像の色再現性を重視したうえで、インク量上限ＵＬをなるべく低くする等、インク量上限を設定する際の利便性を向上させることが可能である。
【００４８】
図８Ｂは、インク量上限候補４００を設定するためのインク量上限候補群を模式的に例示している。インク量上限候補群は、各印刷設定に対応付けられて記憶装置１１４に記憶されている。各インク量上限候補群は、図８Ｃに例示するように、インク量上限候補４０１，４０２，４０３，…を含んでいる。ここで、印刷設定を識別する変数をｚとし、印刷設定ｚに対応付けられたインク量上限候補群をインク量上限候補群ｚと呼ぶことにする。図２のＳ１０２で印刷設定ｚが設定されると、色変換テーブル生成装置１００は、印刷設定ｚに対応付けられたインク量上限候補群ｚを記憶装置１１４から取得し、インク量上限候補群ｚに含まれるインク量上限候補４０１，４０２，４０３，…を仮プロファイル５０１，５０２，５０３，…の生成のために設定する。
【００４９】
図８Ｃは、インク量上限候補群ｚに含まれるインク量上限候補４０１，４０２，４０３，…を模式的に例示している。むろん、インク量上限候補群が変わればインク量上限候補が変わる可能性がある。尚、「１次色」はインクを１種類しか使用しない場合のインク量上限を意味し、「１次色」のインク量上限がＱ％であるとはＮpx画素（単位面積）に対する使用インク（１種類）のドットの最大数（Ｎmaxとする。）の百分率（Ｎmax／Ｎpx）×１００％がＱ％であることを意味する。「２次色」はインクを２種類使用する場合のインク量上限を意味し、「２次色」のインク量上限がＱ％であるとはＮpx画素に対する使用インク（２種類）のドットの最大数Ｎmaxの百分率（Ｎmax／Ｎpx）×１００％がＱ％であることを意味する。「Total」はインクを３種類以上使用する場合のインク量上限を意味し、「Total」のインク量上限がＱ％であるとはＮpx画素に対する使用インク（３種類以上）のドットの最大数Ｎmaxの百分率（Ｎmax／Ｎpx）×１００％がＱ％であることを意味する。図８Ｃには、インク量上限候補４０１，４０２，４０３，…となるにつれてインク量上限が高くなっていることが示されている。
【００５０】
図２のＳ１０８でインク量上限候補（ｉ）を設定した後、色変換テーブル生成装置１００は、各インク量上限候補４０１，４０２，４０３，…について、Ｌａｂ色空間の座標値（Ｌｐ，ａｐ，ｂｐ）とＣＭＹＫのインクの使用量を表す出力値（Ｃｐ，Ｍｐ，Ｙｐ，Ｋｐ）との対応関係を規定した仮プロファイル５０１，５０２，５０３，…を生成する（Ｓ１１０）。ここで、仮プロファイル生成用パッチＰＡ３を識別する変数をｐとしている。尚、仮プロファイル生成用パッチＰＡ３は、インク量上限ＵＬを設定するためのパッチＰＡ１（図１０参照）とは異なる。Ｓ１１０では、インク量上限候補（ｉ）毎に仮プロファイル（ｉ）がインク量上限候補（ｉ）に基づいて生成される。
【００５１】
図９は、Ｓ１１０で行われる仮プロファイル生成処理の例を示している。この処理が開始されると、色変換テーブル生成装置１００は、まず、インク量上限候補４０１，４０２，４０３，…の中から一つのインク量上限候補（ｉ）を選択する（Ｓ３０２）。Ｓ３０４では、インク量上限候補（ｉ）に対応する仮プロファイル（ｉ）を生成するためのカラーパッチＰＡ３のインク使用量（出力値Ｃｐ，Ｍｐ，Ｙｐ，Ｋｐ）をインク量上限候補（ｉ）のインク量上限に基づいて設定する。
【００５２】
仮プロファイル生成用パッチＰＡ３のインク使用量は、例えば、以下のようにして設定することができる。
まず、「１次色」のインク使用量を複数段階設定する。例えば、「１次色」のインク量上限をＱ１％（０＜Ｑ１≦１００）とし、「１次色」の段階数をＮ１（Ｎ１は３以上の整数）とすると、「１次色」のインク使用量を｛Ｑ１×０／（Ｎ１−１）｝％、｛Ｑ１×１／（Ｎ１−１）｝％、・・・、｛Ｑ１×（Ｎ１−１）／（Ｎ１−１）｝％と設定することができる。段階数Ｎ１が１１である場合、Ｑ１＝１００％であれば、「１次色」のインク使用量は、０％、１０％、２０％、・・・、１００％となる。Ｑ１＝６０％であれば、「１次色」のインク使用量は、０％、６％、１２％、・・・、６０％となる。これらをインク使用量（出力値Ｃｐ，Ｍｐ，Ｙｐ，Ｋｐ）のそれぞれに適用すると、１次色のインク量上限のみを考慮したインク使用量（出力値Ｃｐ，Ｍｐ，Ｙｐ，Ｋｐ）の組合せが４N1組できる。これらの組合せの中から、２種類のインク使用量の合計が「２次色」のインク量上限の範囲となり、且つ、３種類以上のインク使用量の合計が「Total」のインク量上限の範囲となる組合せを選択すると、インク量上限候補（ｉ）のインク量上限に従ったインク使用量（出力値Ｃｐ，Ｍｐ，Ｙｐ，Ｋｐ）が生成される。
【００５３】
インク使用量（出力値Ｃｐ，Ｍｐ，Ｙｐ，Ｋｐ）の生成後、色変換テーブル生成装置１００は、出力値（Ｃｐ，Ｍｐ，Ｙｐ，Ｋｐ）に基づいて印刷装置２００にインク使用量の組合せ毎の仮プロファイル生成用パッチＰＡ３を有する印刷物ＰＴ３を形成させる（Ｓ３０６）。図９には、被印刷物２９０に仮プロファイル生成用パッチＰＡ３が形成された印刷物ＰＴ３を模式的に例示している。Ｓ３０８では、各パッチＰＡ３を測色装置１１７で測色し、各パッチＰＡ３についてＬａｂ色空間における色を表す測色値（Ｌｐ，ａｐ，ｂｐ）を測色装置１１７から取得する。測色値（Ｌｐ，ａｐ，ｂｐ）は、Ｌａｂ色空間の座標値である。
【００５４】
そこで、色変換テーブル生成装置１００は、測色値（Ｌｐ，ａｐ，ｂｐ）とインク使用量（出力値Ｃｐ，Ｍｐ，Ｙｐ，Ｋｐ）とを対応付けて、Ｌａｂ色空間の座標値（Ｌｐ，ａｐ，ｂｐ）とインク使用量を表す出力値（Ｃｐ，Ｍｐ，Ｙｐ，Ｋｐ）の対応関係を規定したＬＵＴである仮プロファイル５００を生成する（Ｓ３１０）。生成される仮プロファイル５００は、インク量上限候補（ｉ）のインク量上限に従った仮プロファイル（ｉ）である。色変換テーブル生成装置１００は、インク量上限候補４０１，４０２，４０３，…の中に仮プロファイル５００を生成していないインク量上限候補が残っている場合にはＳ３０２〜Ｓ３１０の処理を繰り返し、全てのインク量上限候補４０１，４０２，４０３，…について仮プロファイル５００を生成した場合には仮プロファイル生成処理を終了させる。
【００５５】
図２のＳ１１０で仮プロファイル（ｉ）を生成した後、色変換テーブル生成装置１００は、Ｓ１０６で設定した複数の表面色座標値（Ｌｓ，ａｓ，ｂｓ）を仮プロファイル（ｉ）に従って出力値（Ｃｓ，Ｍｓ，Ｙｓ，Ｋｓ）に変換する（Ｓ１１２）。ここで、表面色座標値の色を識別する変数をｓとしている。出力値（Ｃｓ，Ｍｓ，Ｙｓ，Ｋｓ）は、カラーパッチＰＡ１（図１０参照）を形成するためのインク使用量を表している。Ｓ１１４では、各出力値（Ｃｓ，Ｍｓ，Ｙｓ，Ｋｓ）に対応するカラーパッチＰＡ１を有する印刷物ＰＴ１（図１０参照）を印刷装置２００に形成させる。図１０には、仮プロファイル（ｉ）に対応するインク量上限候補４０１，４０２，４０３，…のそれぞれについて被印刷物２９０にパッチＰＡ１が形成された印刷物ＰＴ１を模式的に示している。例えば、インク量上限候補４０１，４０２，４０３，…に対応する仮プロファイル５０１，５０２，５０３，…に従った各パッチＰＡ１のインク打ち込み量は、それぞれ、インク量上限候補４０１，４０２，４０３，…のインク量上限に従っている。
【００５６】
パッチＰＡ１を形成した後、色変換テーブル生成装置１００は、各パッチＰＡ１を測色装置１１７で測色し、各パッチＰＡ１についてＬａｂ色空間における色を表す測色値（Ｌｍ，ａｍ，ｂｍ）を測色装置１１７から取得する（Ｓ１１６）。ここで、パッチＰＡ１を識別する変数をｍとしている。変数ｍは表面色座標値の色を識別する変数ｓに対応しているが、測色値を表面色座標値（Ｌｓ，ａｓ，ｂｓ）と区別するために変数ｍを用いている。
【００５７】
測色値（Ｌｍ，ａｍ，ｂｍ）の取得後、色変換テーブル生成装置１００は、各インク量上限候補（ｉ）について、Ｌａｂ色空間における対象色Ｔｔの座標値（Ｌｔ，ａｔ，ｂｔ）と、複数の測色値（Ｌｍ，ａｍ，ｂｍ）と、に基づいて、対象色Ｔｔが色再現域ＧＡ０に含まれるか否かを判定する（Ｓ１１８）。
【００５８】
図１１は、Ｓ１１８で行われる色再現判定処理の例を示している。図１２は、図１１のＳ４０４で測色点を結んで色再現域ＧＡ０の表面に三角形を設定する様子を模式的に例示している。図１３Ａは、Ｌ軸に沿った平面において対象色Ｔｔが色再現域ＧＡ０に含まれるか否かを判定する例を模式的に示している。図１３Ｂは、色度平面において対象色Ｔｔが色再現域ＧＡ０に含まれるか否かを判定する例を模式的に示している。
【００５９】
色再現判定処理が開始されると、色変換テーブル生成装置１００は、まず、インク量上限候補４０１，４０２，４０３，…の中から一つのインク量上限候補（ｉ）を選択する（Ｓ４０２）。Ｓ４０４では、図１２に例示するように、Ｌａｂ色空間において各測色値（Ｌｍ，ａｍ，ｂｍ）で表される測色点を結び、色再現域ＧＡ０の表面に三角形を設定する。図１２は、４色の色再現域ＧＡ０の稜線方向においてｎ＝２点ずつ、すなわち、色再現域ＧＡ０の表面の頂点に測色点（表面色Ｓｓ）を表す表面色座標値（Ｌｓ，ａｓ，ｂｓ）を複数設定した場合に三角形を設定した例を示している。図１２に示す例は、図６Ｂに示すようにＹ〜Ｍの色相領域３０１，３０２が選択されて色再現域表面の頂点Ｓ１〜Ｓ８が表面色座標値（Ｌｓ，ａｓ，ｂｓ）を取得する表面色Ｓｓとして設定された場合の各三角形を示している。具体的には、頂点Ｓ１，Ｓ２，Ｓ４を結ぶ三角形、頂点Ｓ１，Ｓ３，Ｓ４を結ぶ三角形、頂点Ｓ３，Ｓ４，Ｓ７を結ぶ三角形、頂点Ｓ３，Ｓ６，Ｓ７を結ぶ三角形、頂点Ｓ２，Ｓ４，Ｓ７を結ぶ三角形、頂点Ｓ２，Ｓ５，Ｓ７を結ぶ三角形、頂点Ｓ６，Ｓ７，Ｓ８を結ぶ三角形、及び、頂点Ｓ５，Ｓ７，Ｓ８を結ぶ三角形が設定されている。これらの三角形は、色再現域ＧＡ０の表面として扱われ、対象色Ｔｔが色再現域ＧＡ０に含まれるか否かを判定するために使用される。
【００６０】
尚、色再現域表面の測色点を三角形等で繋ぐ方法は、上述した方法に限定されず、３次元ドロネー三角形分割による方法等でもよい。
【００６１】
色再現域表面に三角形を設定した後、色変換テーブル生成装置１００は、図１３Ａ，１３Ｂに例示するように、対象色Ｔｔ（Ｌｔ，ａｔ，ｂｔ）の明度ＬｔにおいてＬ軸から対象色に至る直線ベクトルｄを求める（Ｓ４０６）。Ｌａｂ色空間における直線ベクトルｄの成分は、（０，ａｔ，ｂｔ）となる。
【００６２】
Ｓ４０８では、直線ベクトルｄと交わる三角形を特定する。例えば、Ｓ４０４で設定された複数の三角形の中から明度Ｌｔを含む複数の三角形をまず特定し、該特定した複数の三角形の中から対象色Ｔｔの色度座標（ａｔ，ｂｔ）で定まる色相を含む三角形を特定すればよい。むろん、この方法以外の方法により直線ベクトルｄと交わる三角形を特定してもよい。
【００６３】
Ｓ４１０では、Ｓ４０８で特定された三角形と直線ベクトルｄとの交点Ｆを求め、明度ＬｔにおいてＬ軸から交点Ｆに向かう直線ベクトルｆを求める。例えば、図１３Ｂに示すように明度Ｌｔにおける色度平面において、Ｓ４０８で特定された三角形に対応する線分ＳＬにおいて対象色Ｌｔの色度座標（ａｔ，ｂｔ）で定まる色相の点を交点Ｆとし、Ｌ軸から交点Ｆに向かう直線ベクトルｆの成分（０，ａｆ，ｂｆ）を導出すればよい。
【００６４】
Ｓ４１２では、直線ベクトルｄの大きさＤ１＝｜ｄ｜と直線ベクトルｆの大きさＤ２＝｜ｆ｜との大小関係に応じて、処理を分岐させる。ここで、Ｄ１＝（ａｔ2＋ｂｔ2）1/2であり、Ｄ２＝（ａｆ2＋ｂｆ2）1/2である。直線ベクトルｄの大きさＤ１はＬ軸と対象色Ｔｔとの色差でもあり、直線ベクトルｆの大きさＤ２はＬ軸と交点Ｆとの色差でもある。｜ｄ｜≦｜ｆ｜、すなわち、Ｄ１≦Ｄ２である場合、色変換テーブル生成装置１００は、対象色Ｔｔは色再現域ＧＡ０に含まれると判定する（Ｓ４１４）。例えば、図１３Ｂに示す対象色Ｔｔは、Ｌ軸から交点Ｆに向かう直線ベクトルｆの大きさＤ２が直線ベクトルｄの大きさＤ１よりも大きいので、対象色Ｔｔが色再現域ＧＡ０に含まれると判定されることになる。一方、｜ｄ｜＞｜ｆ｜、すなわち、Ｄ１＞Ｄ２である場合、色変換テーブル生成装置１００は、対象色Ｔｔは色再現域ＧＡ０に含まれないと判定する（Ｓ４１６）。例えば、図１３Ａに示す対象色Ｔｔ’（Ｌｔ’，ａｔ’，ｂｔ’）は、Ｌ軸から交点Ｆに向かう直線ベクトルｆの大きさＤ２が直線ベクトルｄの大きさＤ１よりも小さいので、対象色Ｔｔ’が色再現域ＧＡ０に含まれないと判定されることになる。
以上より、Ｓ４１２〜Ｓ４１６の処理は、Ｌａｂ色空間における対象色Ｔｔの明度Ｌｔにおいて、Ｌ軸から対象色Ｔｔまでの距離Ｄ１が、Ｌ軸から色再現域ＧＡ０の表面までの距離Ｄ２以下であるか否かを判定していることになる。
【００６５】
色変換テーブル生成装置１００は、インク量上限候補４０１，４０２，４０３，…の中にＳ４０２〜Ｓ４１６の判定処理を行っていないインク量上限候補が残っている場合にはＳ４０２〜Ｓ４１６の処理を繰り返し、全てのインク量上限候補４０１，４０２，４０３，…についてＳ４０２〜Ｓ４１６の判定処理を行った場合には仮プロファイル生成処理を終了させる。従って、あるインク量上限候補については対象色Ｔｔが色再現域ＧＡ０に含まれ、別のインク量上限候補については対象色Ｔｔが色再現域ＧＡ０に含まれないということがあり得る。
【００６６】
図２のＳ１１８の色再現判定処理を行った後、色変換テーブル生成装置１００は、各インク量上限候補４０１，４０２，４０３，…について対象色Ｔｔが色再現域ＧＡ０に含まれるか否かを表す色再現判定情報７００（例えば図１４Ａ参照）を出力する（Ｓ１２０）。
【００６７】
図１４Ａは、表示装置１１５に表示される色再現判定情報７００の例である判定結果出力画面６１０を模式的に例示している。この例の色変換テーブル生成装置１００は、各インク量上限候補４０１，４０２，４０３，…にそれぞれ対応する候補６１１，６１２，６１３，…を推奨順に並べて判定結果出力画面６１０を表示している。各候補６１１，６１２，６１３，…には、対象色Ｔｔが色再現域ＧＡ０に含まれるか否かの判定結果も示されている。例えば、複数のインク量上限候補４００のうち対象色Ｔｔが色再現域ＧＡ０に含まれると判定された候補である色再現域内候補が複数あるとする。図１４Ａの例では、候補６１２，６１３が色再現域内候補であり、候補６１１は対象色Ｔｔが色再現域ＧＡ０に含まれないと判定された色再現域外候補である。この場合の推奨順は、例えば、色再現域内候補の方が色再現域外候補よりも高く、複数の色再現域内候補の中ではインク量上限が低いほど高く、色再現域外候補が複数あればインク量上限が高いほど高くなるようにすればよい。これにより、複数の色再現域内候補６１２，６１３のうちインク量上限が最も低い色再現域内候補６１２を最も推奨する判定結果出力画面６１０が表示される。複数のインク量上限候補４００のうち対象色Ｔｔが色再現域ＧＡ０に含まれると判定された色再現域内候補が単数である場合、この色再現域内候補を最も推奨する判定結果出力画面を表示すればよい。
【００６８】
色再現判定情報７００の出力は、図１４Ａに示す判定結果出力画面６１０に限定されない。例えば、図１４Ｂに示す判定結果出力画面６１０のように、複数の色再現域内候補６１２，６１３のうちインク量上限が比較的高い色再現域内候補６１３を表示しないでインク量上限が最も低い色再現域内候補６１２のみを推奨してもよい。この場合、入力装置１１６による操作を受け付けることにより次の推奨順の候補を表示するようにしてもよい。
図１４Ａ，１４Ｂに示す判定結果出力画面６１０を表示する色変換テーブル生成装置１００は、複数の色再現域内候補のうちインク量上限が最も低い色再現域内候補を推奨する情報を出力していることになる。これにより、色変換テーブルを用いる印刷の際にインクの消費量を極力少なくすることができる。
【００６９】
また、図１１の色再現判定処理においてＳ４０２のインク量上限候補の選択処理を行わず、一つのインク量上限候補（ｉ）について図２のＳ１１８〜Ｓ１２０の処理を行い、必要に応じてインク量上限候補（ｉ）を選択し直した場合に再び図２のＳ１１８〜Ｓ１２０の処理を行ってもよい。この場合、一つのインク量上限候補（ｉ）について対象色Ｔｔが色再現域ＧＡ０に含まれるか否かが判定され、この判定結果に基づいて色再現判定情報７００が出力されることになる。図１５Ａは、図８Ｃに示すインク量上限候補４０１（第一候補の例）についてのみ色再現判定処理が行われた場合に表示装置１１５に表示される色再現判定情報７００の例である判定結果出力画面６２０を模式的に例示している。インク量上限候補４０１について対象色Ｔｔが色再現域ＧＡ０に含まれないと判定された場合、色変換テーブル生成装置１００は、インク量上限候補４０１について対象色Ｔｔが色再現域ＧＡ０に含まれない判定結果とともに色再現域外候補６２１を判定結果出力画面６２０の中に表示する。また、色変換テーブル生成装置１００は、インク量上限候補４０１の次にインク量上限が高いインク量上限候補４０２（第二候補の例）を表す情報６２２を判定結果出力画面６２０の中に表示する。
【００７０】
図１５Ａに示す判定結果出力画面６２０を表示している状態で次の候補について色再現判定情報７００を表示させる操作を入力装置１１６で受け付けると、色変換テーブル生成装置１００は、インク量上限候補４０２を対象として図２のＳ１１８〜Ｓ１２０の処理を行う。インク量上限候補４０２について対象色Ｔｔが色再現域ＧＡ０に含まれると判定された場合、色変換テーブル生成装置１００は、インク量上限候補４０２について対象色Ｔｔが色再現域ＧＡ０に含まれる判定結果とともに色再現域内候補６２２’を判定結果出力画面６２０の中に表示する。
図１５Ａ，１５Ｂに示す判定結果出力画面６２０を表示する色変換テーブル生成装置１００は、第一候補について対象色Ｔｔが色再現域ＧＡ０に含まれないと判定した場合に第二候補を表す情報を出力していることになる。従って、インク量上限を設定する際に、便利である。
【００７１】
色再現判定情報７００の表示後、色変換テーブル生成装置１００は、インク量上限ＵＬを決定する（図２のＳ１２２）。例えば、図１４Ａ，１４Ｂに示す判定結果出力画面６１０において最も推奨された色再現域内候補６１２を受け入れる操作を入力装置１１６で受け付けると、色変換テーブル生成装置１００は、色再現域内候補６１２に対応するインク量上限候補４０２のインク量上限を図１６に示す色変換テーブル５８０を生成するためのインク量上限ＵＬとして決定する。このインク量上限ＵＬは、出力デバイス（例えば印刷装置２００）の色再現特性を表す出力プロファイル５００を決定するための情報である。既にインク量上限候補４０２に対応する仮プロファイル５０２が生成されているので、この仮プロファイル５０２が出力プロファイル５００に決定される。尚、図１４Ａ等に示す判定結果出力画面６１０において２番目に推奨される色再現域内候補６１３を受け入れる操作を入力装置１１６で受け付けると、色変換テーブル生成装置１００は、色再現域内候補６１３に対応するインク量上限候補４０３のインク量上限を色変換テーブル５８０を生成するためのインク量上限ＵＬとして決定する。
【００７２】
インク量上限ＵＬの決定後、色変換テーブル生成装置１００は、インク量上限ＵＬに基づいて図１６に示すような色変換テーブル５８０を生成し（Ｓ１２４）、色変換テーブル生成処理を終了させる。図１６に示す色変換テーブル５８０は、例えば、入力デバイス（例えば外部の表示装置）の色特性を表す入力プロファイル５６０と、上述した出力プロファイル５００と、を用いて生成することができる。図１６に示す入力プロファイル５６０は、入力デバイスに依存するＲＧＢ色空間（入力色空間ＣＳ１）の座標値（Ｒｊ，Ｇｊ，Ｂｊ）とＬａｂ色空間の座標値（Ｌｊ，ａｊ，ｂｊ）との対応関係を表す情報である。座標値（Ｒｊ，Ｇｊ，Ｂｊ）は、ＲＧＢの色の量を表す。図１６に示す出力プロファイル５００は、出力デバイスに依存するＣＭＹＫ色空間（出力色空間ＣＳ２）の座標値（Ｃｊ，Ｍｊ，Ｙｊ，Ｋｊ）とＬａｂ色空間の座標値（Ｌｊ，ａｊ，ｂｊ）との対応関係を表す情報である。座標値（Ｃｊ，Ｍｊ，Ｙｊ，Ｋｊ）は、インク量上限ＵＬの範囲内で設定されたＣＭＹＫのインクの使用量を表す。尚、変数ｊは、入力色空間ＣＳ１の座標に対応する各格子点ＧＤ０を識別する変数である。入力プロファイル５６０からは、各格子点ＧＤ０の位置を表す入力座標値（Ｒｊ，Ｇｊ，Ｂｊ）に対応するＬａｂ色空間の座標値（Ｌｊ，ａｊ，ｂｊ）を取得することができる。出力プロファイル５００からは、Ｌａｂ色空間の各座標値（Ｌｊ，ａｊ，ｂｊ）に対応する出力色空間ＣＳ２の座標値（Ｃｊ，Ｍｊ，Ｙｊ，Ｋｊ）を取得することができる。図１６に示すように、入力座標値（Ｒｊ，Ｇｊ，Ｂｊ）と出力座標値（Ｃｊ，Ｍｊ，Ｙｊ，Ｋｊ）とを対応付けると、各格子点ＧＤ０について対応関係が規定された色変換テーブル５８０を生成することができる。むろん、出力座標値（Ｃｊ，Ｍｊ，Ｙｊ，Ｋｊ）は、インク打ち込み量がインク量上限ＵＬの範囲内となるように規定されている。
【００７３】
生成された色変換テーブル５８０は、例えば、図示しないプリンタードライバーに組み込まれる。このプリンタードライバーにより実現される印刷制御装置は、色変換テーブル５８０を参照して入力色空間ＣＳ１の座標値（Ｒｑ，Ｇｑ，Ｂｑ）を表す印刷用データから出力色空間ＣＳ２の座標値（Ｃｑ，Ｍｑ，Ｙｑ，Ｋｑ）を表す出力データを生成する。この出力データを印刷装置２００に送信すると、印刷装置２００は前記出力データに基づいて被印刷物２９０に画像ＩＭ２を印刷して印刷物ＰＴ２を形成する。むろん、印刷画像ＩＭ２は、インク打ち込み量がインク量上限ＵＬの範囲内となるように形成される。
【００７４】
以上説明したように、インク量上限候補４００において対象色Ｔｔが色再現域ＧＡ０に含まれるか否かを表す色再現判定情報７００が出力されるので、ユーザーは、インク量上限候補４００が所望の色を再現可能であるか否かが分かる。従って、本具体例は、色再現性を重視してインク量上限を設定する際の利便性を向上させることができる。また、インク量上限ＵＬを設定するために形成するパッチＰＡ１の数を低減させることができる。
【００７５】
（４）変形例：
本発明は、種々の変形例が考えられる。
例えば、インク量上限ＵＬを設定するインクの種類は、ＣＭＹＫに限定されず、ＣＭＹＫに加えて、Ｃよりも低濃度のＬｃ（ライトシアン）、Ｍよりも低濃度のＬｍ（ライトマゼンタ）、Ｙよりも高濃度のＤｙ（ダークイエロー）、Ｏｒ（オレンジ）、Ｇｒ（グリーン）、Ｋよりも低濃度のＬｋ（ライトブラック）、画質向上用の無着色の色材、等を含んでもよい。また、ＣＭＹＫの一部のインクを使用しない場合にも、本技術を適用可能である。
入力色空間は、ＲＧＢ色空間に限定されず、ＣＭＹ色空間、ＣＭＹＫ色空間、等でもよい。
【００７６】
上述した処理は、順番を入れ替える等、適宜、変更可能である。例えば、図２の色変換テーブル生成処理において、対象色Ｔｔの指定を受け付けるＳ１０４の処理の前に、インク量上限候補（ｉ）を設定して仮プロファイル（ｉ）を生成するＳ１０８〜Ｓ１１０の処理を行ってもよい。
また、Ｓ１２０で図１４Ａ，１４Ｂ，１５Ｂの判定結果出力画面６１０，６２０を表示したうえで自動的にＳ１２２でインク量上限ＵＬを設定する処理を行ってもよい。この場合、複数の色再現域内候補のうちインク量上限が最も低い色再現域内候補を表す情報が出力されたうえで、前述のインク量上限が最も低い色再現域内候補のインク量上限が出力プロファイル決定用のインク量上限ＵＬとして自動的に設定される。
【００７７】
（５）結び：
以上説明したように、本発明によると、種々の態様により、色再現性を重視してインク量上限を設定する際の利便性を向上させることが可能な技術等を提供することができる。むろん、独立請求項に係る構成要件のみからなる技術等でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００７８】
１００…色変換テーブル生成装置（インク量上限設定装置の例）、１１４…記憶装置、１１５…表示装置、１１６…入力装置、１１７…測色装置、２００…印刷装置（出力デバイスの例）、２２０…記録ヘッド、２８０…インク滴、２９０…被印刷物、３００，３０１〜３０６…色相領域、４００，４０１〜４０３…インク量上限候補、５００，５０１〜５０３…プロファイル、５６０…入力プロファイル、５８０…色変換テーブル、６００…対象色指定画面、６１０，６２０…判定結果出力画面、７００…色再現判定情報、ＣＳ１，ＣＳ２…色空間、ＦＵ１…対象色指定機能、ＦＵ２…対応関係規定機能、ＦＵ３…パッチ形成機能、ＦＵ４…測色値取得機能、ＦＵ５…色再現判定出力機能、ＦＵ６…表面色設定機能、ＧＡ０…色再現域、ＰＡ１…パッチ、ＰＲ０…インク量上限設定プログラム、ＰＴ１，ＰＴ２…印刷物、ＲＬｙ，ＲＬｒ，ＲＬｍ，ＲＬｂ，ＲＬｃ，ＲＬｇ…稜線、ＳＴ１…対象色指定工程、ＳＴ２…対応関係規定工程、ＳＴ３…パッチ形成工程、ＳＴ４…測色値取得工程、ＳＴ５…色再現判定出力工程、ＳＴ６…表面色設定工程、Ｕ１…対象色指定部、Ｕ２…対応関係規定部、Ｕ３…パッチ形成部、Ｕ４…測色値取得部、Ｕ５…色再現判定出力部、Ｕ６…表面色設定部、ＵＬ…インク量上限。
【図１】
2018026613.tif 000003
【図２】
2018026613.tif 000004
【図３】
2018026613.tif 000005
【図４】
2018026613.tif 000006
【図５】
2018026613.tif 000007
【図６】
2018026613.tif 000008
【図７】
2018026613.tif 000009
【図８】
2018026613.tif 000010
【図９】
2018026613.tif 000011
【図１０】
2018026613.tif 000012
【図１１】
2018026613.tif 000013
【図１２】
2018026613.tif 000014
【図１３】
2018026613.tif 000015
【図１４】
2018026613.tif 000016
【図１５】
2018026613.tif 000017
【図１６】
2018026613.tif 000018